(57)【特許請求の範囲】
【請求項１】
パッケージであって、
第１周囲部分（４６）及び第２周囲部分（４８）を有する第１シェル部分（４２）と、
第１周囲部分（５０）及び第２周囲部分（５２）を有し、該第２周囲部分（５２）が第１ラッチ支台（５４）を含む第２シェル部分（４４）と、
前記第１シェル部分及び第２シェル部分をそれらの第１周囲部分（４６、５０）位置で連結するヒンジ（５６）と、
前記第１シェル部分及び第２シェル部分の各第２周囲部分を相互に解放自在にラッチ止めするラッチ（５８）とを含み、
該ラッチが、
ある角度で連結した第１及び第２の各脚部（６０、６２）にして、第１脚部（６０）が前記第１シェル部分に固定され、前記第２脚部（６２）が、前記第１シェル部分（４２）における隣り合う壁の前縁部と平行に配列された第１及び第２の各脚部と、
前記第１脚部のアクチュエータ部分（６４）にして、ユーザーが前記第１シェル部分の隣り合う壁の前縁部と平行に指で偏倚させることにより、第２脚部をそのラッチ止め位置から解放位置に移動させ得るようになっているアクチュエータ部分と、
前記第２脚部に固定される第２ラッチ支台（６６）にして、そのラッチ止め位置では第１ラッチ支台（５４）と係合し、その解放位置では第１ラッチ支台（５４）を解放する構成を有する第２ラッチ支台と、
を含むパッケージ。
【請求項２】
前記第１及び第２の各シェル部分（４２、４４）が、前記第１及び第２の各シェル部分を閉じた場合に合致する周囲縁部（６８、７０）を有する請求項１に記載のパッケージ。
【請求項３】
前記第１シェル部分上の、エンクロージャを形成する第１閉鎖リップ（７２）と、
前記第２シェル部分上の、前記第１閉鎖リップと合致する第２閉鎖リップ（７６）にして、前記第１シェル部分及び第２シェル部分の各第２周囲部分が相互にラッチ止めされるとエンクロージャの外側の周囲空気から該エンクロージャをシールする第２閉鎖リップと、
を更に含む請求項１または２に記載のパッケージ。
【請求項４】
第１閉鎖リップ（７２）を形成し且つ第１シェル部分に連結するインサート（７８）を更に含む請求項３に記載のパッケージ。
【請求項５】
ラッチ（５８）の少なくとも一部分がインサート（７８）と第１シェル部分（４２）との間に位置決めされる請求項４に記載のパッケージ。
【請求項６】
第２脚部がそのラッチ止め位置から解放位置に向けて全体に長手方向に移動されると第２脚部（６２）と係合して該第２脚部（６２）を曲げるよう位置決めされる第１曲げ傾斜部（８０）を更に含む請求項１〜５の何れかに記載のパッケージ。
【請求項７】
第１脚部がピボット（８４）により第１シェル部分に固定され、アクチュエータ部分を移動させると第１脚部が第１シェル部分に関してピボット廻動する請求項１〜６の何れかに記載のパッケージ。
【請求項８】
第１脚部のアクチュエータ部分がそのラッチ止め位置に向けて常バイアス印加される請求項１〜７の何れかに記載のパッケージ。
【請求項９】
第１及び第２の各シェル部分の何れかの上の第３ラッチ支台（８６）と、
第１及び第２の各シェル部分の各第２周囲部分を相互に解放自在にラッチ止めする第２ラッチ（８８）と、
を更に含み、
前記第２ラッチ（８８）が、
ある角度で連結される第３及び第４の各脚部（９０、９２）にして、第３脚部（９０）が第１及び第２の各シェル部分の、第３ラッチ支台（８６）に関する他方に固定された第３及び第４の各脚部と、
第３脚部（９０）のアクチュエータ部分（９４）にして、ユーザーの指で移動するようになっており、第４脚部（９２）をそのラッチ止め位置から解放位置に移動させるアクチュエータ部分と、
第４脚部（９２）に固定される第４ラッチ支台（９８）にして、第４脚部がそのラッチ止め位置にあるとき第３ラッチ支台（８６）と係合し、第４脚部がその解放位置にあるときは第３ラッチ支台を解放する構成を有する第４ラッチ支台と、
を含む請求項１〜８の何れかに記載のパッケージ。
【請求項１０】
第１及び第３の各脚部のアクチュエータ部分が少なくとも７．２６ｃｍ離間される請求項９に記載のパッケージ。
【請求項１１】
第２及び第４の各脚部が、そのラッチ止め位置において全体に平行である請求項９または１０に記載のパッケージ。
【請求項１２】
第２及び第４の各脚部がそのラッチ止め位置から解放位置へと全体に長手方向で反対方向に移動するよう位置決めされる請求項９〜１１の何れかに記載のパッケージ。
【請求項１３】
第４脚部と係合し、係合した前記第４脚部がそのラッチ止め位置から解放位置へと全体に長手方向に移動されると、係合した前記第４脚部を曲げるように位置決めされる第２曲げ傾斜部（９６）を更に含む請求項９〜１２の何れかに記載のパッケージ。
【請求項１４】
第１曲げ傾斜部（８０）が、第２脚部（６２）と係合するよう位置決めされ且つ第４脚部により形成される請求項７に記載のパッケージ。
【請求項１５】
第２曲げ傾斜部（９６）が、第４脚部（９２）と係合するよう位置決めされ且つ第１シェル部分（４２）により形成される請求項１３または１４に記載のパッケージ。
【請求項１６】
第１及び第３の各脚部の少なくとも一方がピボット（８４、１０２）により第１シェル部分に固定され、アクチュエータ部分を移動すると第２脚部が第１シェル部分に関してピボット廻動する請求項９〜１５の何れかに記載のパッケージ。
【請求項１７】
第１及び第３の各脚部の少なくとも一方のアクチュエータ部分がそのラッチ止め一方向に常バイアス印加される請求項９に記載のパッケージ。
【請求項１８】
第２脚部と係合する第１曲げ傾斜部（８０）にして、第２脚部がそのラッチ止め位置から解放位置に向けて全体に長手方向に移動されると該第２脚部を曲げるよう位置決めされる第１曲げ傾斜部と、
第４脚部と係合する第２曲げ傾斜部（９６）にして、第４脚部がそのラッチ止め位置から解放位置へと全体に長手方向に移動されると第４脚部を曲げるよう位置決めされる第２曲げ傾斜部とを更に含む請求項９に記載のパッケージ。
【請求項１９】
第１曲げ傾斜部（８０）が第４シェル部分により形成され、第２曲げ傾斜部（９６）が第１脚部により形成される請求項１８に記載のパッケージ。
【請求項２０】
第１脚部が第１ピボット（８４）により第１シェル部分に固定され、アクチュエータ部分を移動させると第１脚部が第１シェル部分に関してピボット廻動され、第３脚部が第２ピボット（１０２）により第１シェル部分に固定され、第３脚部のアクチュエータ部分を移動させると第３脚部が第１シェル部分に関してピボット廻動する請求項９に記載のパッケージ。
【発明の詳細な説明】
【技術分野】
【０００１】
本発明は、２００９年８月２４日付米国仮出願特許第６１／２３６，３７０号及び２００９年１１月３日付米国仮出願特許第６１／２５７，７３５号の優先権を主張するものである。これら出願の明細書、請求の範囲及び図面の全体はここでの参照により本明細書の一部に含まれるものとする。
【背景技術】
【０００２】
本発明はパッケージ、例えば、医薬品またはたばこ製品等の物品を格納する、チャイルドセーフティで且つシニアフレンドリーなパッケージに関する。
チャイルドセーフティ機能付きの容器は特に北アメリカでは医薬品パッケージ用として斯界によく知られている。チャイルドセーフティ機能はチャイルドレジスタントクロ−ジャ（ＣＲＣ）とも参照される。一般に、乳幼児安全蓋（以下、チャイルドセーフティクロージャ）は５歳児以下には開け難いが、５０歳以上、特に６０歳以上のユーザーには開け易くなければならない。米国政府はチャイルドセーフティクロージャの有効性を評価するチャイルドセーフティプロトコルを定めている。チャイルドセーフティプロトコル試験はＣＦＲのタイトル１６、パート１７００に従い食品医薬品局が定めたものである。これら容器はそれを使用するであろう消費者に容易性及び利便性と共に提供されるのが理想的である。
製品パッケージは、環境や損傷等から製品を守る等の多数の機能を追加することで製品の魅力が高まる。製品の多くは消費者利便性及びパッケージ効率上、マルチユニットまたはバルク形態でパッケージ化される。製品は代表的にはパッケージ開封時にその全体が露呈される。製品を環境、例えば湿気から守るにはシールが必要となる。
【０００３】
製品を確実に保護する方法の１つはパッケージの中身全体をシールすることである。この種の方法はパッケージデザインに寸法形状またはその他のデザイン上の制約をもたらす。この方法ではパッケージを開封する消費者または乳幼児に製品全部が露呈され得る。当該製品へのアクセスは容易だがパッケージから製品がこぼれ出さないよう製品を然るべく保持する何らかの拘束手段が必要である。
その他方法では製品を保護性の覆いまたはラップで保護する。この方法ではラップ開封後は製品全体が露呈される。製品全体が環境に露呈されるため製品はもはや保護されないばかりか、残りの製品全部が乳幼児に露呈される。
パッケージは、その条件への合致を強いられる幾つかの相反する制約によってデザインは複雑化する。これは消費者の負担を増やすと共にパッケージの魅力を低下させる。
【先行技術文献】
【特許文献】
【０００４】
【特許文献１】米国仮出願特許第６１／２３６，３７０号明細書
【特許文献２】米国仮出願特許第６１／２５７，７３５号明細書
【特許文献３】米国特許第５，９１１，９３７号明細書
【特許文献４】米国特許第６，２１４，２５５号明細書
【特許文献５】米国特許第６，１３０，２６３号明細書
【特許文献６】米国特許第６，１７４，９５２号明細書
【特許文献７】米国特許第６，６１３，４０５号明細書
【特許文献８】米国特許第６，１２４，００６号明細書
【特許文献９】米国特許第６，４８６，２６１号明細書
【特許文献１０】米国特許第７，００５，４５９号明細書
【特許文献１１】米国特許第６，０８０，３５０号明細書
【発明の概要】
【発明が解決しようとする課題】
【０００５】
異なるタイプの製品及びパッケージ条件を収受可能な、シンプルで製造が容易なパッケージを提供することである。
【課題を解決するための手段】
【０００６】
本発明によれば、第１シェル部分、第２シェル部分、随意的にはヒンジ、及びラッチ、を含むパッケージが提供される。
前記第１シェル部分は第１周囲部分及び第２周囲部分を有する。前記第２シェル部分は第１周囲部分及び第２シェル部分を有する。第２シェル部分の第２周囲部分は第１ラッチ支台（以下、アバットメントとも称する）を含む。
随意的であって必ずしもその必要は無いが、第１シェル部分と第２シェル部分とを第１周囲部分位置で連結するヒンジを設け得る。
第１ラッチは第１シェル部分及び第２シェル部分の各第２周囲部分を相互に解放（以下、釈放とも称する）自在にラッチ止めする形態を有する。第１ラッチは第１及び第２の各脚部、アクチュエータ部分、第２ラッチアバットメントを含む。第１及び第２の各脚部はある角度で連結される。第１脚部は第２シェル部分に固定される。
【０００７】
第１脚部はアクチュエータ部分を有し、第２脚部は第２ラッチアバットメントを有する。第１脚部のアクチュエータ部分は、ユーザーが第２脚部を、例えばそのラッチ止め位置から釈放位置へと全体に長手方向に偏倚させると全体に横方向に偏倚されるよう位置決めされる。第２ラッチアバットメントは第２脚部に固定される。第２ラッチアバットメントは、第２脚部がそのラッチ位置を取る時は第１ラッチアバットメントと係合し、第２脚部がその釈放位置を取るときは第１ラッチアバットメントを釈放する形態を有する。
本発明の他の実施例は二枚貝型（クラムシェル型）パッケージであって、底部シェル、蓋部シェル、一体ヒンジ、蓋を含む。
底部シェルは内外の各面を有し、内面上には少なくとも第１及び第２の各底部を有する。全体に平坦な縁部シール面が第１及び第２の底部ウエルを包囲する。蓋部シェルも内外の各面を有する。蓋部シェルはその内面上に少なくとも第１及び第２の各底部蓋ウェルを随意的に有する。全体に平坦な縁部シール面が第１及び第２の各底部蓋ウェルを包囲する。
一体ヒンジは底部シェル及び蓋部シェルを連結する。一体ヒンジは底部シェル及び蓋部シェルの二枚貝様式での閉鎖を可能とする。二枚貝様式のパッケージを閉じると蓋部シェル及び底部シェルの縁部シール面同士が隣り合って対面し、かくして各ウェルへのアクセスを防止する。蓋は、閉じた底部及び蓋の各シェルを釈放自在に固定する。
【０００８】
本発明の他の実施例では底部シェルはその内面上に少なくとも第２底部ウェルを更に含む。
本発明の更に他の実施例では底部シェルの全体に平坦な縁部シール面が底部ウェルを包囲する。
本発明の更に他の実施例では蓋部シェルがその内面上に少なくとも第１蓋部ウェルを含み、蓋部シェルの全体に平坦な縁部シール面が第１蓋部ウェルを包囲する。
本発明の更に他の実施例では蓋部シェルが、その内面上に少なくとも第２蓋部ウェルを更に含む。
本発明の更に他の実施例では蓋部シェルの全体に平坦な縁部シール面が各蓋部ウェルを包囲する。
【０００９】
本発明の更に他の実施例ではパッケージが、夫々の底部ウェルを密封シールするための、各底部ウェルの全体に平坦な縁部シール面に付着したシール用シートを更に含む。
本発明の他の実施例ではパッケージが、夫々の蓋部ウェルを密封シールするための、各蓋部ウェルを包囲する全体に平坦な縁部シール面に付着したシール用シートを更に含む。
本発明の更に他の実施例ではシール用シートが、隣り合う各ウェル間で弱化またはカットされ、かくして隣接するウェルをアンシールすることなく一方のウェルをアンシールするべく個別に除去し得る、分離除去自在のストリップを画定する。
本発明の更に他の実施例では底部シェル、蓋部シェル、一体ヒンジ、蓋、が単一の射出成型部品として形成される。
【００１０】
本発明の他の実施例ではパッケージが、底部シェルの内面上に少なくとも第３底部ウェルを更に含み、底部シェルの全体に平坦な縁部シール面が該第３底部ウェルを包囲する。
本発明の他の実施例ではパッケージが、蓋部シェルの内面上に少なくとも第３蓋部ウェルを更に含み、蓋部シェルの全体に平坦な縁部シール面が該第３蓋部ウェルを包囲する。
本発明の他の実施例では第１蓋が、蓋部シェルに固定した上向きの少なくとも第１蓋部アバットメントと、底部蓋に固定した下向きの少なくとも第１底部アバットメントにして、パッケージ閉鎖時は通常は蓋部アバットメントに常接触する第１底部アバットメントとを含む。
【００１１】
本発明の他の実施例ではパッケージが、第２蓋にして、蓋部シェルに固定した上向きの少なくとも第２蓋部アバットメントと、底部シェルに固定した下向きの少なくとも第２底部アバットメントにして、パッケージ閉鎖時には蓋部アバットメントに常接触する第２底部アバットメントとを含む第２蓋を更に含む。
本発明更の他の実施例では第１蓋が第２蓋から離間される。
本発明の更に他の実施例では少なくとも１つの第１アバットメントが、相当するシェルに弾性取り付けされ、常バイアス印加されて他方の第１アバットメントと係合し、該バイアスに抗して弾性偏倚して前記他方の第１アバットメントと脱係合し、かくして第１蓋を釈放する。
本発明の更に他の実施例では少なくとも１つの第２アバットメントが相当するシェルに弾性取り付けされ、常バイアス印加されて他方の第２アバットメントと係合し、該バイアスに抗して弾性偏倚して前記他方の第２アバットメントと脱係合し、かくして第２蓋を釈放する。
【００１２】
本発明の更に他の実施例では第１及び第２の各蓋は少なくとも実質的に同時に動作してパッケージを開封させる必要がある。
本発明の他の実施例では第１及び第２の各蓋の弾性取り付けした各アバットメントは、一方の蓋の弾性取り付けしたアバットメントを他方の蓋の弾性取り付けしたアバットメントの方向に賦勢させることにより各蓋を釈放するよう動作自在である。
本発明の更に他の実施例では底部及び蓋部の各ウェルは、底部シェルの全体に平坦な縁部シール面に全体に平行な長さ及び幅を有し、底部シェルの全体に平坦な縁部シール面に全体に直交する深さとを有する。
本発明の更に他の実施例では底部及び蓋部の各ウェルの長さはその幅の少なくとも３倍である。
本発明の更に他の実施例ではパッケージは、底部または蓋部の各ウェルの少なくとも一方の内部に錠剤形態の製品を更に含む。
【００１３】
本発明の更に他の実施例では錠剤は配合物の押し出しスティック形態を有する。
本発明の更に他の実施例では錠剤は配合物の巻きシート形態を有する。
本発明の更に他の実施例では配合物の巻きシート形態がリーフの一部を含む。
本発明の更に他の実施例では配合物が粉末材料及び結合材を含む。
本発明の他の実施例では底部または蓋部の各ウェルが、相当するシェルから全体に平坦な縁部シール面に伸延してウェルを包囲する直立壁により画定される。
本発明の更に他の実施例では、少なくとも２つの隣り合う底部ウェルまたは蓋部ウェルの直立壁が相互に離間されてその間部分に間隙を画定する。
【００１４】
本発明の更に他の実施例では底部または蓋部のウェルが、相当する底部シェルまたは蓋部シェル内の波状部分により形成される。
本発明の更に他の実施例では底部または蓋部のウェルが、相当する底部シェルまたは蓋部シェル内の凹部により形成される。
本発明の更に他の実施例では底部及び蓋部のウェルが、底部及び蓋部の各シェルの対変形性を補強する。
本発明の他の実施例では閉鎖時の水分進入日量は２５００マイクログラムを超過しない。
本発明の更に他の実施例ではシールされた各ウェルの水分進入日量は７５０マイクログラムを超過しない。
本発明の更に他の実施例では底部及び蓋部の各シェルの各最薄部の厚さは少なくとも０．５ｍｍである。
本発明の更に他の実施例では底部及び蓋部の各シェルの各最薄部の厚さは少なくとも０．８ｍｍである。
本発明の更に他の実施例では底部及び蓋部の各シェルの各最薄部の厚さは少なくとも１．０ｍｍである。
【００１５】
本発明の更に他の実施例では底部及び蓋部の各シェルの各最薄部の厚さは少なくとも２．０ｍｍである。
本発明の更に他の実施例ではパッケージは、底部及び蓋部の各シェルの壁周囲に配置した周囲シールを更に含む。
本発明の更に他の実施例ではパッケージは、底部及び蓋部の各シェルのウェルの壁周囲に配置した再シール自在の周囲シールを更に含む。
本発明の更に他の実施例ではパッケージに、ガス除去用の能動エージェント同伴プラスチックが組み込まれる。
本発明の更に他の実施例では能動エージェントは酸素吸収材である。
本発明の更に他の実施例では能動エージェントは乾燥材である。
本発明の更に他の実施例では能動エージェントはモレキュラシーブまたはシリカゲルである。
【００１６】
本発明の他の様相によれば製品のパッケージ充填法が提供される。各製品は底部及びまたは蓋部の各ウェル内に配置される。底部及びまたは蓋部の各ウェルはカバーシートで覆われて閉鎖される。カバーシートは全体に平坦な縁部シール面にシールされ、かくして各ウェルをシールする。カバーシートの、２つのウェル間の一部は弱化またはカットされてカバーシートのストリップを構成する。ある実施例ではカバーシートの各ストリップは１つのウェルをカバーする。ある実施例では各ストリップはカバーシートの、ウェルの別の部分をカバーする１つ以上の隣り合うストリップとは別個に除去自在である。
【００１７】
更に他の様相によれば、シェル、２つの引出し、ストッパ、ラッチ、を含むチャイルドセーフティ性容器が提供される。シェルは随意的には、対向する第１及び第２の引出し開口を有し得る。シェルは、第１引出し開口から第２引出し開口に至る長手方向通路を画定し得る。第１引出しは長手方向通路内に摺動自在に受けられ、第１引出し開放時は第１引出し開口を貫いて突出する。第２引出しは長手方向通路内に摺動自在に受けられ、第１引出しに関して相対的に可動であり、第２引出し開放時は第２引出し開口を貫いて突出する。
【００１８】
ストッパは通路内に位置付けられる。ストッパは第１及び第２の各引出しと係合してこれら第１及び第２の引出しが移動限界を超えてシェルの外側に摺動するのを防止する。前記移動限界へは、第１及び第２の各引出しの何れかがその中身へのアクセスを提供するに十分開放され、他方の引出しがその中身へのアクセスを防止するに十分閉じられた場合に到達される。
ラッチは第１及び第２の各引出しを閉鎖状態に常偏倚させる。ラッチはその常偏倚力印加に抗して少なくとも一方の引出しをアンラッチさせる。
本発明の他の実施例ではストッパは、第１引出しにおける、第１開口に面するアバットメントと、第２引出しにおける、第２開口に面するアバットメントとを含み、これら第１及び第２の各アバットメントは各引出しを離間させた場合に係合してストッパを画定する。
【００１９】
本発明の他の実施例では少なくとも一方のアバットメントが、他方の引出し方向に伸びるリンクにより、相当する引出しに連結される。  
本発明の他の実施例では各アバットメントが、他方の引出し方向に伸びるリンクにより相当する引出しに連結される。
本発明の他の実施例では各引出しの形状は同一である。
本発明の他の実施例ではシェルが、該シェルの外側から長手方向通路へのアクセスを提供する側部開口を更に画定する。
本発明の他の実施例ではラッチが、長手方向通路内に少なくとも部分的に配置され且つ引出しのアンラッチに際して前記側部開口を貫いてアクセス可能である。
本発明の他の実施例ではラッチが、第１引出しと係合する第１ラッチと、第２引出しと係合する第２ラッチとを含む。
本発明の他の実施例ではシェルが、シェル外側から長手方向通路へのアクセスを提供する第１及び第２の各側部開口を更に画定する。
【００２０】
本発明の更に他の実施例では第１及び第２の各ラッチが、長手方向通路内に少なくとも部分的に配置され、第１及び第２の各引出しのアンラッチに際し夫々第１及び第２の各開口を通してアクセス可能である。
本発明の他の実施例では第１引出しが、第１引出し開口に面する第１引出しアバットメントを有し、ラッチが、第２引出し開口に面した第１ラッチアバットメントを有し、第１引出しアバットメント及び第１ラッチアバットメントが、第１引出しを閉じ且つラッチが第１引出しを閉鎖するべく常偏倚されるとき、相互に係合するよう位置決めされる。
【００２１】
本発明の他の実施例では第２引出しが、第１引出し開口に面する第２引出しアバットメントを有し、ラッチが、第２側部開口に面する第２ラッチアバットメントを有し、第２引出しアバットメント及び第２ラッチアバットメントが、第１引出しを閉じ且つラッチを第１引出しを閉じるべく常偏倚するときは相互に係合するよう位置決めされる。
本発明の他の実施例では第１及び第２の各ラッチが、長手方向通路内で反対方向に横断方向に移動することによりアンラッチされ、両ラッチが開放すると、第１及び第２の各引出しアバットメントを、相当するラッチアバットメントから脱係合させる。
【００２２】
本発明の他の実施例では第１引出し及びラッチが、第１引出しを押して更に閉じてアンラッチ機構に係合させ、かくしてラッチを動作させて第１引出しをアンラッチさせた場合にのみ、第１引出しがアンラッチされる構成を有する。
本発明の他の実施例では第２引出し及びラッチが、第２引出しを押して更に閉じてアンラッチ機構に係合させ、かくしてラッチを動作させて第２引出しをアンラッチさせた場合にのみ、第２引出しがアンラッチされる構成を有する。
【００２３】
本発明の他の実施例ではアンラッチ機構が、ラッチ上の傾斜部分と、引出しから突出するリンク上の傾斜部分とであり、係合した前記リンクが引出しアバットメントをラッチアバットメントから離間する方向に移動させる。
本発明の他の実施例ではラッチ上の傾斜部と、引出し上の相当する傾斜部とが、引出し閉鎖時は長手方向に常偏倚され、引出しを更に押して閉じると係合関係下に長手方向に整列する。
本発明の他の実施例では容器がストッパを更に含み、該ストッパが、各引出しが同時に押し込まれて第１引出しのアンラッチ機構及び第２引出しのアンラッチ機構の両方と係合するに十分接近するのを防止し、かくして第１及び第２の各引出しの一方のみが一度に開放可能とされる。
本発明の他の実施例では第１及び第２の各ラッチは形状が同一である。
【発明の効果】
【００２４】
異なるタイプの製品及びパッケージ条件を収受可能な、シンプルで製造が容易なパッケージが提供される。
【図面の簡単な説明】
【００２５】
【図１】図１は、蓋を開放させて内部が見える状態としたパッケージ実施例の斜視図である。
【図２】図２は、インサートトレイの一部を切り取りその下側の詳細を示す図１と類似の斜視図である。
【図２Ａ】図２Ａは、改変された第１及び第３脚部６０及び９０を有するがピボット８４及び１０２は有さない別態様の、図２に類似の斜視図である。
【図３】図３は、ラッチをその釈放位置に進行させた状態で示す図２と類似の斜視図である。
【図３Ａ】図３Ａは図２Ａの別態様を示す図３と類似の斜視図である。
【図４】図４は、一方のラッチの係合状況を示す部分詳細断面図である。
【図５】図５は、ラッチの脱係合状況を示す図４と類似の部分詳細断面図である。
【図６】図６は、本発明の１実施例に従うパッケージの開放状態を示す斜視図である。
【図７】図７は、パッケージを閉じた状態で示す図６の実施例の斜視図である。
【図８】図８は、底部ウェルの詳細を示す図６の実施例の部分破除した斜視図である。
【図９】図９は、底部シェルの内側を示す図６の実施例の平面図である。
【図１０】図１０は、底部シェルの外側を示す図６の実施例の平面図である。
【図１１】図１１は、図６の実施例の底部シェルの外側を示す側面図である。
【図１２】図１２は、パッケージを閉じた状態の図６の実施例の、部分破除して底部ウェル及び蓋ウェルの関係を示す斜視図である。
【図１３】図１３は、図６の実施例の蓋部シェルの斜視図である。
【図１４】図１４は、図６の実施例の、開放され、各ウェルを示すべく部分破除し、ウェル内に製品スティックを配し、シールシートで各セルを覆った状態で示す斜視図である。
【図１５】図１５は、ウェルの異なる配置構成及び形状を示す、他の実施例のパッケージの斜視図である。
【図１６】図１６は、底部シェル及びまたは蓋部シェル用の波形シェルを示す、他の実施例のパッケージの詳細図である。
【図１７】図１７は、底部シェルの各ウェルが周囲シールを有する他の実施例の、図９に類似の平面図である。
【図１８】図１８は、蓋部シェルの各ウェルが周囲シールを有する他の実施例の、図１３に類似の平面図である。
【図１９】図１９は、パッケージに連結したブリスターシート及び各ウェル周囲の周囲シールを有する、他の実施例のパッケージの閉じた状態で示す断面図である。
【図２０】図２０は、図１９の実施例の、開放状態で示す部分破除した斜視図である。
【図２１】図２１は、本発明の１実施例の斜視図である。
【図２２】図２２は、図２１の実施例のシェルを単独で示す類似の斜視図である。
【図２３】図２３は、引出しの詳細を示す、図２１の実施例の断面図である。
【図２４】図２４は、シェルを取り外してラッチ及び引出しの詳細を示し、傾斜部７０、７２、８４、８６を仮想線で示す図２１の実施例の平面図である。
【図２５】図２５は、図２１の実施例の引出しの、主にその底部を示す斜視図である。
【図２６】図２６は、図２１の実施例の引出しの、主にその上部を示す斜視図である。
【図２７】図２７は、図２１の実施例に従うラッチの、その一方側を示す斜視図である。
【図２８】図２８は、図２１の実施例に従うラッチの、その他方側を示す斜視図である。
【図２９】図２９は、図２１の実施例の横断方向断面図である。
【図３０】図３０は、図２１の実施例の、内側壁を示すべく部分破除した斜視図である。
【図３１】図３１は、内部をより詳細に示す図２１の実施例の他の断面図である。
【発明を実施するための形態】
【００２６】
以下に幾つかの実施例を示す図面を参照して本発明を詳しく説明する。しかしながら本発明は異なる多様な形態において具体化され得、図示された実施例に限定されるものでは無い。図中、同じ参照番号は同じ要素を表すものとする。
図１〜図５を参照するに、パッケージ４０が示され、共通特徴部としての第１シェル部分４２、第２シェル部分４４、ヒンジ５６、ラッチ５８を有している。パッケージはここでは開閉可能であるよう釈放自在に連結した２つの部分または各リーフを有するものとして略定義される。前記２つの部分または各リーフは、ここで定義するパッケージにおいて一致する、または同サイズの、または合致する縁部を有する必要は無い。
【００２７】
例示実施例では第１シェル部分４２が第１周囲部分４６及び第２周囲部分４８を、第２シェル部分４４が第１周囲部分５０及び第２周囲部分５２を夫々有する。第２周囲部分４８及び５２は第１及び第２の各シェル部分４２、４４の、第１周囲部分４６及び５０を除く各全周囲部分である。
例示実施例では第２シェル部分４４の第２周囲部分５２は、以下に説明する如くラッチ５８により係合または脱係合する第１ラッチアバットメント５４を含む。各例示実施例ではヒンジ５６が、第１シェル部分４２及び第２シェル部分４４にその第１周囲部分４６及び５０位置で連結し、かくして二枚貝型パッケージを画定する。しかしながら、各ヒンジ及び各ヒンジ連結部分は基本構成ではなく、本明細書に開示した任意の発明実施例の実施上必須のものでは無い。例えば、ヒンジ５６に代えて、第１及び第２の各シェル部分４２及び４４がその各第１周囲部分４６または５０間に第１及び第２の各シェル部分４２及び４４と釈放自在に係合する２つ以上のフックまたはその他ラッチを有し得る。
【００２８】
例示実施例では第１及び第２の各シェル部分４２及び４４の各第２周囲部分４８及び５２を相互ラッチ止めするラッチ５８を設け得る。例示したラッチ５８は第１脚部６０、第２脚部６２、アクチュエータ部分６４、第２ラッチアバットメント６６を含む。第１及び第２の各第１脚部６０及び６２はある角度（例えば９０度及びまたは第２シェル部分４４の側方縁部と第２シェル部分の前縁部との間の各角度に相当する）で連結され、第１脚部６０は第１シェル部分４２に固定される。
【００２９】
各例示実施例では、第１脚部６０のアクチュエータ部分６４はユーザーが指で第２脚部６２を図２及び図４に例示するラッチ止め位置から全体に長手方向において図３及び図５に例示する釈放位置に移動させると全体に横方向（図１〜図３Ａで“Ｌ”で示す方向）に移動されるよう位置決めされる。各例示実施例ではアクチュエータ部分６４は指で内側に押すと横方向に移動され得る。本実施例では、第２脚部が第２シェル部分４４の前縁部と平行配置され、２つの脚部間の角度が９０度であることから、アクチュエータ部分の横方向移動は第１脚部６０と直交（第１脚部６０が図１〜図３Ａで“Ｖ”で示す方向に伸延する）し、かくして第２シェル部分４４の側方縁部とも直交し、第２シェル部分４４の前縁部とは平行である。随意的には、図２、図２Ａ、図３及び図３Ａに示す如く、移動に抵抗し且つアクチュエータ部分６４にそのラッチ止め位置へのバイアスを印加するリーフバネ１０６等の弾性要素を設け得る。各例示実施例ではリーフバネ１０６は随意的にはインサート７８の一部（以下に説明する、各例示実施例における側壁を画定する凹所１１０）に押接され、アクチュエータ部分６４の進行に弾性的に抵抗する。
各例示実施例では第２ラッチアバットメント６６が第２脚部６２に固定される。第２ラッチアバットメント６６は、各例示実施例では第２脚部６２は、図１及び図２に例示するそのラッチ止め位置にある時は第１ラッチアバットメント５４に係合し、第２脚部６２が図３〜図５に例示する釈放位置にあるときは第１ラッチアバットメント５４を釈放するよう構成される。随意的には、図２及び図３に示す如く、リーフバネ１０６と同様に機能するリーフバネ１０８を設け得る。
【００３０】
各図に例示するパッケージ４０は各例示実施例における共通及び随意的特徴部分に加え、多数の追加及び随意的特徴部分の任意の１つ以上を有し得る。これら追加及び随意的特徴部分のゼロ、１つ、または１つ以上を個別にまたは任意の組み合わせにおいて採用し得る。
図１〜図５の各実施例の第１の随意的特徴は、第１及び第２の各シェル部分４２及び４４が合致する周囲縁部６８及び７０を有し得ることである。合致する周囲縁部は、パッケージ４０を閉じた時に全体に一致及び整合する周囲縁部として定義される。
【００３１】
図１〜図５の各実施例の第２の随意的特徴は、パッケージ４０を閉じた時にパッケージ４０内側を外部環境から隔絶するリップシール配列を設け得ることである。例えばパッケージ４０は、第１シェル部分４２上の、エンクロージャ７４を画定する第１閉鎖リップ７２と、第２シェル部分４４上の合致する第２閉鎖リップ７８とを含み得る。第２閉鎖リップ７６は、第１シェル部分４２及び第２シェル部分４４をラッチ止めした場合に第１閉鎖リップ７２と係合し、エンクロージャ７４を当該エンクロージャ７４の外部周囲空気からシールするよう位置決めされ得る。リップがリング状の無端のまたは連続する場合を“閉鎖ループ”とする。ループは丸形、楕円型、角を丸み付けした矩形、異形、またはその他形状を有し得る。
図１〜図５の各実施例の第３の随意的特徴は、インサート７８が第１シェル部分の一部として設けられ、第１閉鎖リップ７２を画定し且つ第１シェル部分４２の残余部分に連結されることである。図１に例示するインサート７８は第１閉鎖リップ７２の内部に位置付けた凹所を有するトレーの形態を有し得（以下、トレー７８とも称する）、側壁１１２により画定され得る。前記凹所は容器のシール部分を画定し得る。トレー７８は第１閉鎖リップ７２の外側に位置付けた周囲フランジ１１４をも含み得る。各例示実施例では周囲フランジ１１４がラッチ５８及び８８の大半を隠すが、第１及び第２の各ラッチアバットメント５４及び６６を、また第３及び第４の第３ラッチアバットメント８６及び９８を係合させ得る孔１１６及び１１８を含む。
【００３２】
図１〜図５の各実施例の第４の随意的特徴は、ラッチ５８の少なくとも一部及び第２ラッチ８８の少なくとも一部がインサート７８の周囲フランジ１１４と第１シェル部分４２との間に位置決めされ得ることである。これによりラッチ５８及び８８は隠されつつも、第２及び第４の各第２脚部６２及び第４脚部９２またはリーフバネ１０６及び１０８がそこに押接し、かくしてラッチ５８及び８８にそのラッチ止め位置へのバイアスを印加する支承面として作用する側壁１１２を提供することである。第２ラッチ８８及び当該第２ラッチが係合する構造は基本または必須構成では無く、容器を閉鎖するよう適切にラッチ止めする単一のラッチで代替させ得る。例えば、単一の第２ラッチ８８を、第２及び第４の各第２ラッチアバットメント６６及び９８の両方を担持するよう改変し得、両アバットメントを同一方向でラッチ止めするよう改変し得る。
【００３３】
図１〜図５の各実施例の第５の随意的特徴は、第２脚部６２が係合するよう位置決めした曲げ傾斜部８０を設け、第２脚部６２がそのラッチ止め位置（例えば図１、図２、図４に示す）から全体に長手方向に、その釈放位置（図３及び図５に示す）に移動させたとき、前記曲げ傾斜部８０がバイアス印加用のアバットメント８２と接触することである。各例示実施例では曲げ傾斜部８０は第４脚部９２の屈曲部であるが、ラッチ５８及び８８がそのアンラッチ位置へと反対方向に移動するとき、第２脚部６２が図で左方向に移動する一方、当該曲げ傾斜部８０が図で右方向に移動する利益がある。２つのラッチの相対移動によりその通過速度は、固定構造に関する何れかのラッチの移動速度と比較して倍増され、かくして第２脚部６２の屈曲速度が倍増される。
【００３４】
図１〜図５の各実施例の第６の随意的特徴は、第１脚部６０が第１ピボット８４により第１シェル部分４２に固定され得ることである。第１ピボット８４を設けることで、ユーザーはアクチュエータ部分６４を移動させて第１脚部６０を第１シェル部分４２に関してピボット廻動させ得る。或いは第１ピボット８４を、第１脚部６０が弾性を有するとの仮定の下に、その何れもがラッチ５８にそのラッチ止め位置へのバイアスを印加する、他の、または代替可能な、バイアス力を提供する固定装着ポイントまたは支承ポイントで代替させ得る。
図１〜図５の各実施例の第７の随意的特徴は、容器ラッチ止め構成が、第３ラッチアバットメント及び第２ラッチ８８を更に含み得ることである。第３ラッチアバットメント８６は第１及び第２の各シェル部分４２及び４４の何れか一方に設け得る。第２ラッチ８８は第１シェル部分４２及び第２シェル部分４４の各第２周囲部分４８及び５２を釈放自在にラッチ止めするために設け得る。
【００３５】
図１〜図５の各実施例の第８の随意的特徴は、第２ラッチ８８が第３及び第４の各第３脚部９０及び９２と、アクチュエータ部分９４及び第４ラッチアバットメント９８とを含むことである。第３及び第４の各第３脚部９０及び９２は例示した如くある角度位置で連結し得る。第３脚部９０は第３ラッチアバットメント８６に関し、第１及び第２の各シェル部分４２及び４４の他方に固定し得る。第３脚部９０のアクチュエータ部分９４は、ユーザーが指で全体に横方向に移動し得るよう位置決めされ得る。例示実施例の第３脚部９０のアクチュエータ部分９４を移動させると第４脚部９２がそのラッチ止め位置から釈放位置へと全体に長手方向に移動される。
【００３６】
第４ラッチアバットメント９８は第４脚部９２に固定し得る。第４ラッチアバットメント９８は、例示実施例に示すように、第４脚部９２をそのラッチ止め位置としたとき第３ラッチアバットメント８６と係合する構成を有し得る。第４ラッチアバットメント９８は、例示実施例に示す如く、第４脚部９２をその釈放位置としたとき、第３ラッチアバットメント８６を釈放するよう構成され得る。
図１〜図５の各実施例の第９の随意的特徴は、第１及び第３の各第１脚部６０及び９０の各アクチュエータ部分６４及び９４が、少なくとも５ｃｍ、随意的には少なくとも６ｃｍ、随意的には少なくとも７ｃｍ、随意的には少なくとも８ｃｍ、随意的には少なくとも９ｃｍ、随意的には少なくとも１０ｃｍ離間され得ることである。
【００３７】
図１〜図５の各実施例の第１０の随意的特徴は、第１及び第３の各第１脚部６０及び９０の各アクチュエータ部分６４及び９０が、同時に動作して第１シェル部分４２及び第２シェル部分４４の各第２周囲部分４８及び５２をアンラッチさせるよう随意的に構成され得ることである。
前記第９及び第１０の、またはその何れかの特徴は、チャイルドセーフティ性を提供するがシニアフレンドリーなパッケージ４０を提供するために採用され得るものである。
この目的上望ましくは、アクチュエータ部分６４及び９４は、パッケージ４０の中身にアクセスすべきではない乳幼児が片手では同時に操作しにくい、または操作できない程に十分離間される。アクチュエータ部分６４及び９４は、パッケージ４０の中身にアクセスすべき、シニアを含む大人が片手で、好ましくは容易に動作させてパッケージを開放させ得るに十分接近されることが望ましい。
【００３８】
図１〜図５の各実施例の第１１の随意的特徴は、アンラッチに際してパッケージを自動開放させるための開放用バネ、ストラット、或いはその他が無いことである。ラッチ５８及び８８を脱係合させると、本実施例では蓋であるところの第２シェル部分４４はバネで自動開放せず、第２シェル部分４４を手で持ち上げてパッケージを開放させる必要がある。この目的上、第１シェル部分４２は曲げ傾斜部９６に一致する凹部を有し、第２シェル部分４４の第２周囲部分５２がこの凹部を跨ぐ。
ラッチ５８及び８８を釈放させた後、ユーザーはパッケージ４０の前記凹部を跨ぐ第２周囲部分５２のセクションを持ち上げてパッケージ４０を開放させ、その中身にアクセスし得る。当該構成にはチャイルドセーフティ性がある。なぜなら、通常動作では２つのアクチュエータ部分６４及び９４を片手で係合させ、他方の手で第２シェル部分４４を持ち上げるからである。ユーザーの手は２つのアクチュエータ部分６４及び９４を同時に脱係合させるに十分大きい必要がある。しかも、パッケージ４０を開放させるには複雑な動作、例えば、一方を掴んで他方に関して捻る等の動作が不要であるため、開放に際して大きな力を必要としないよう、必要なバイアス力を制御することで容易にデザインし得る。
【００３９】
図１〜図５の各実施例の第１２の随意的特徴は、第２及び第４の各第２脚部６２及び９２が随意的にはそのラッチ止め位置で全体に平行に位置決めされ得ることである。“全体に平行”とは、パッケージがラッチ止めされる場合に各脚部の長さの大半がその共通長さ部分に沿ってほぼ同じ距離離間した状態で隣り合って伸びる状況を言うものとする。本明細書から理解される如く各脚部は、パッケージ４０をアンラッチしたときはその各動作部分が横方向となるため、相互平行状態に維持される必要は無い。
図１〜図５の各実施例の第１３の随意的特徴は、第２及び第４の各第２脚部６２及び９２を、随意的にはそのラッチ止め位置から釈放位置を向いた、全体に長手方向の逆向き配置状態に位置決めし得ることである。
図１〜図５の各実施例の第１４の随意的特徴は、曲げ傾斜部８０及び随意的には曲げ傾斜部９６を、第２及び第４の各第２脚部６２及び９２の一方または随意的には両方と係合させ、係合した第２及び第４の各第２脚部６２及び９２をそのラッチ止め位置から釈放位置へと全体に長手方向に移動したとき、これら第２及び第４の各第２脚部６２及び９２をバイアス印加用のアバットメント８２または１００と接触させるように位置決めし得ることである。
【００４０】
各例示実施例では、第２及び第４の各第２脚部６２及び９２は共に曲げ傾斜部、即ち、第４脚部９２により画定される曲げ傾斜部８０と、第１シェル部分４２の第２周囲部分４８を画定する壁の凹部により画定される曲げ傾斜部９６と夫々係合する。２つの曲げ傾斜部を並置することで、以下に説明する如く、パッケージ４０をアンラッチした場合の第２脚部６２の横方向移動が増大される。曲げ傾斜部９６が第４脚部９２と係合すると第４脚部９２が、かくして曲げ傾斜部８０がパッケージに関して横方向内側に移動され、第２脚部６２も横方向内側に移動される。曲げ傾斜部８０が第２脚部６２と係合すると第２脚部６２が更に横方向内側に移動される。これにより複合レバーに匹敵する動作が生じる。随意的には、第２脚部６２だけを側壁１１２に、または随意的には或いは追加的に孔１１６の壁に当接させてアンラッチに抵抗するバイアス力を生成させる。
【００４１】
図１〜図５の各実施例の第１５の随意的特徴は、アクチュエータ部分をそのラッチ止め位置に向けるバイアスの印加方法にある。第２脚部６２をそのラッチ止め位置から釈放位置へと全体に長手方向に移動させたとき該第２脚部６２と係合し、該第２脚部をバイアス印加用の第１アバットメント８２と接触させるよう位置決めした第１曲げ傾斜部８０を設け得る。
前記構成の第１６の随意的特徴は、第４脚部９２をそのラッチ止め位置から釈放位置に全体に長手方向に移動させたとき、該第４脚部９２と係合して該第４脚部９２を第２バイアス用アバットメント１００と接触させるように第２曲げ傾斜部９６を提供及び位置決めし得ることである。  
図１〜図５の各実施例の第１７の随意的特徴は、第１ピボット８４により第１脚部６０を第１シェル部分４２に固定し得、第３脚部９０もまた、第２ピボット１０２により第１シェル部分４２に固定し得ることである。
【００４２】
図６〜図２０を参照するに、パッケージ１２０が示され、底部シェル１２２、蓋部シェル１２４、一体ヒンジ１２６、第１蓋部１２８、第２蓋部１３０を含んでいる。これら部材は設計仕様に依存して異なるプロセスで製造し得る。各例示実施例では底部シェル１２２、蓋部シェル１２４、一体ヒンジ１２６、第１蓋部１２８、第２蓋部１３０は、１つの型内にワンショット成型した単一射出成型部品１２０として形成される。他の実施例では１つ以上の各構成部品または部分を別個に形成して連結し、かくしてワンピース型パッケージに形成し得、或いは各構成部品を１つ以上の型または１回以上のショットにおいて形成し得る。パッケージはブロー成型または熱形成し得る。
【００４３】
底部シェル１２２は内面１３２及び外面１３４を有し、また、少なくとも１つの第１底部ウェルにして、本実施例では前記内面１３２上の５つの底部ウェル１３６、１３８、１４０、１４２、１４４である第１底部ウェルを有する。各ウェルは底部シェル１２２の凹部により形成される。各例示実施例では各底部ウェル、例えば１３６は、底部シェル１２２から全体に平坦な縁部シール面に伸延してウェル１３６等を包囲する直立壁１４６により画定される。
【００４４】
各例示実施例では底部ウェル１３６〜１４４、詳しくは１４６及び１４８等の直立壁が、底部シェル１２２の対変形性を補強する。この補強作用は、底部シェル１２２の対曲げ性を強化し、かくして、パッケージ１２０が閉じ、各蓋部１２８〜１３１が相互係合する間における底部シェル１２２のこじ開け或いはそうでなければ屈曲による各底部ウェル１３６〜１４４の中身へのアクセスに対し当該シェルの中身をより安全に保持する上で有益である。
各例示実施例では１３６等の底部ウェルは長さ（１４６及び１４８等の長い方の直立壁に沿って測定される）と、底部シェル１２２の全体に平坦な縁部シール面１５６〜１６４と全体に平行な幅（１５２及び１５４等の短い方の直立壁に沿って測定される）と、底部シェル１２２の、全体に平坦な縁部シール面１５６〜１６４と全体に直交する深さとを有する。
【００４５】
各例示実施例では縁部シール面１５６〜１６４は、底部シェル１２２の各底部ウェル１３６、１３８、１４０、１４２、１４４の、全体に同一平面内の縁部シール面１５６、１５８、１６０、１６２、１６４により画定される不連続面である。他の実施例では、２つのウェル間の、１４８及び１６６等の対面する直立壁は結合され得、かくして１５０等の間隙を低減または排除し得、また恐らくは、縁部シール面１５６〜１６４の各部分を連結して単一の連続するシール面１５６〜１６４を形成し得る。
図１６に示す他の実施例では底部ウェルは底部シェル１２２の波状部分１６８により形成される。波状構造では内面１３２及び外面１３４は共に起伏する。
各例示実施例では底部ウェル１３６〜１４４の長さはその幅より少なくとも３倍、また例示した如くおよそ２０倍長い。
【００４６】
蓋部シェル１２４も内面１７２及び外面１７４を有する。蓋部シェルはその内面１７２上に、少なくとも第１及び第２の各蓋ウェルにして、本実施例では５つの蓋ウェル１７６、１７８、１８０、１８２、１８４である蓋ウェルを有する。各ウェルは蓋部シェル１２４の各凹部により形成され得る。各例示実施例では１７６等の各蓋ウェルは、蓋部シェル１２４から全体に平坦な縁部シール面へと伸延し且つ１７６等のウェルを包囲する直立壁１８６により各々画定される。各例示実施例では、少なくとも２つの隣り合う蓋ウェルにして、本実施例では５つの蓋ウェルである蓋ウェルの直立壁１８６及び１８８は相互に離間され、その間部分に１９０で示す如き間隙を画定する。
各例示実施例では蓋ウェル１７６〜１８４、詳しくは１８６及び１８８等の直立壁が蓋部シェル１２４の対変形性を補強する。この補強作用は、蓋部シェル１２４の対曲げ性を強化し、かくしてパッケージ１２０が閉じ、各蓋部１２８〜１３１が相互係合する間における蓋部シェル１２４のこじ開け或いはそうでなければ屈曲による各蓋ウェル１７６〜１８４の中身へのアクセスに対し当該シェルの中身をより安全に保持する上で有益である。
【００４７】
各例示実施例では、１７６等の蓋ウェルは長さ（１８６及び１８８等の長い方の直立壁に沿って測定される）と、蓋部シェル１２４の全体に平坦な縁部シール面１９６〜２０４と全体に平行な幅（１９２及び１９４等の短い方の直立壁に沿って測定される）と、蓋部シェル１２４の、全体に平坦な縁部シール面１９６〜２０４と全体に直交する深さとを有する。
各例示実施例では縁部シール面１９６〜２０４は、蓋部シェル１２４の各蓋ウェル１７６、１７８、１８０、１８２、１８４の、全体に同一平面内の縁部シール面１９６、１９８、２００、２０２、２０４により画定される不連続面である。他の実施例では、２つのウェル間の、１９８及び２０６等の対面する直立壁は結合され得、かくして１９０等の間隙を低減または排除し得、また恐らくは、縁部シール面１９６〜２０４の各部分を連結して単一の連続するシール面１９６〜２０４を形成し得る。
例示した実施例では蓋部ウェル１７６〜１８４はその幅より少なくとも３倍の、また例示した如く１２倍の長さを有する。
【００４８】
各例示実施例では、底部シェル１２２及び蓋部シェル１２４の、底部ウェル１３６〜１４４を容器の外側から分離する各部分は夫々厚さが少なくとも０．５ｍｍ、或いは少なくとも０．８ｍｍ、或いは少なくとも１ｍｍ、あるいは少なくとも２ｍｍであり、また各ウェル内に担持し得る特定物品の要求に合致するバリヤ層を提供し且つ水分、酸素またはその両方の通過をシールするに十分な厚さを有し得る。
一体ヒンジ１２６は底部シェル１２２と蓋部シェル１２４とを連結する。一体ヒンジ１２６は底部シェル１２２及び蓋部シェル１２４の相互態様での閉鎖を可能とする。製造コストを増大する恐れがあるが、非一体ヒンジをも随意的に使用し得る。
【００４９】
パッケージ１２０は少なくとも１つ、本実施例では２つの蓋を有する。パッケージ１２０を閉じると蓋部シェル１２４及び底部シェル１２２の各縁部シール面が図１２に示す如く相互に向き合い且つ隣り合い、かくして各ウェルへのアクセスを防止する。本実施例では第１蓋部１２８〜１２９及び第２蓋部１３０〜１３１である蓋を閉じると、これらの蓋が底部シェル１２２を蓋部シェル１２４に釈放自在に固定する。
第１蓋部１２８〜１２９は、蓋部シェル１２４に固定した少なくとも第１上向き蓋部アバットメント２１０（図７及び図１３）と、底部シェル１２２に固定した第１蓋戻り止め１２８の、下向きの少なくとも第１底部アバットメント２１２にして、パッケージ１２０を閉じた（図２に示す如く）時に上向きの第１蓋部アバットメント２１０に常押接する第１底部アバットメントとを含む。他の実施例では第１蓋を中央に位置付け、この単一の蓋を用いてパッケージ１２０を固定し得る。
【００５０】
第１下向き底部アバットメント２１２は図９に最もよく示されるように、相当する（底部）シェル１２２に弾性取り付けされる。第１蓋戻り止め１２８はその近位部分２１６で弾性タブ２１４に取り付けられる。弾性タブの遠位部分２１８は、本実施例ではタブ２１４の、パッケージ１２０の残余部分と接触することなく下方（図９の方向を参照しての）に撓む量を増大させるべくオフセットされる。
タブ２１４上に担持した下向きの第１底部アバットメント２１２は各図に示す成形時位置に常バイアス印加され、その位置で、戻り止め１２８を孔１２９内に挿入させるべく、蓋部シェル１２４に固定した上向きの第１蓋部アバットメント２１０と係合（図７及び図１３参照）する。下向きの第１底部アバットメント２１２はバイアス印加に抗して、本実施例ではパッケージ１２０の残余部分に向けて弾性的に撓み得、かくして上向きの第１蓋部アバットメント２１０を脱係合させ、戻り止め１２８を孔１２９から除去して第１蓋部１２８を釈放させる。
【００５１】
第２蓋部１３０〜１３１は、蓋部シェル１２４に固定した上向きの少なくとも第２蓋部アバットメント２２０（図７及び図１３）と、底部シェル１２２に固定した、第２蓋戻り止め１３０の下向きの第２底部アバットメント２１２にして、パッケージ１２０を閉じた時に上向きの第２蓋部アバットメント２２０に常押接する第２底部アバットメントとを含む。
戻り止め１３０上の下向きの第２底部アバットメントは図９に最もよく示すように相当する（底部）シェル１２２に弾性取り付けされる。戻り止め１３０はその近位部分２２４で弾性タブ２２２に取り得付けられる。弾性タブ２２２の遠位部分２２６は、本実施例ではタブ２２２の、パッケージ１２０の残余部分と接触することなく上方（図９の方向を参照しての）に撓む量を増大させるべくオフセットされる。第２蓋部１３０〜１３１は先に説明した如き第１蓋部１２８〜１２９と同一様式下に機能する。
【００５２】
第１蓋部１２８は第２蓋部１３０から離間される。例示実施例では第１及び第２の各蓋１２８〜１２９及び１３０〜１３１は通常は少なくとも実質的に同時に動作してパッケージ１２０を開放させるべきである。第１及び第２の各蓋の弾性取付けされた各アバットメントは、その遠位部分２１８及び２２６を片手の指と親指でつまみ、一方の蓋の弾性取り付けしたアバットメントを他方の蓋の弾性取り付けしたアバットメントに向けて賦勢してり蓋を釈放させる等により動作させ得る。遠位部分２１８及び２２６を片手で内側に捻りつつ、親指タブ２２８を係合させてパッケージを開放させ得る。パッケージ１２０の異なるパーツ上の２つの弾性タブ及び親指タブを操作する必要性が、チャイルドセーフティ性を有するが、手のスパンが子供より広い大人にとっては尚、比較的開け易い蓋が提供される。
【００５３】
パッケージ１２０は、図１４に示す如く、底部ウェル１３６〜１４４を包囲する全体に平坦な縁部シール面１５６〜１６４に付着して個々の底部ウェルを密封シールするシール用シート２３０を含む。シール用シートは、例えば、超音波溶接、溶剤溶接、熱シール、接着剤或いはその他の当業者に既知のものを含む好都合な手段により被着させ得る。図１４に示すパッケージ１２０は、蓋ウェル１７６〜１８４を包囲する全体に平坦な縁部シール面１９６〜２０４に被着されて個々のウェルを密封シールするシール用シート２３２をも含む。随意的には各ウェルは以下に定義するところの“湿密”シールされ得る。
本実施例においてシールが不要である場合は可撓性フィルムはシールを提供するバリヤ及びシール特性を持つ必要は無い。例えば、紙シールを使用できる。他の実施例では可撓性フィルムを不要化するべくパッケージ内に製品を拘束する如きポケットを設計上設け得る。
【００５４】
可撓性フィルム材は、一度に１つの画室を開放できる様式で形成し得る。シール用シート２３０及び２３２は随意的には、例えば隣り合う各ウェル間で、シール用シート２３０のカット部分２３４〜２４０及びシール用シート２３２のカット部分２４２〜２４８の如く弱化、カット或いは孔開けし、かくして、隣接するウェルをアンシールまたは開封させることなく個別に除去されて１つのウェルをアンシールまたは開封させ得る、２７０（２３４及び２３６等の隣り合う２つのカット部間の）等の分離除去可能なストリップを画定させ得る。消費者は可撓性フィルム材を剥がして１つの画室を露呈させて製品にアクセスする。また、或いはそれに代えて、ツールを用いて各画室を開封することもできる。別のオプションとして、ウェルを覆う可撓性フィルムを通して引張されると画室を開封する糸或いはその他材料を持つプルタブを設け得る。
【００５５】
各実施例ではシール用シート２３０及び２３２は本来２枚の別個のシート形態または一枚のシートの一部が一体ヒンジを跨ぐ形態を有し得る。ウェブを跨ぐシートは除去するか、または然るべく残され得る。
本発明の他の様相によれば、パッケージ１２０への製品充填法が提供される。製品の各ピース、例えば図１４に断面を示すスティック状の製品ピース２５２〜２６８が、底部及び蓋の各ウェル１３６〜１４４及び１７６〜１８４内に配置される。底部シェル１２２及び蓋部シェル１２４の各ウェル１３６〜１４４及び１７６〜１８４はそれらを閉じるシール用シート２３０及び２３２で覆われる。シール用シート２３０及び２３２は全体に平坦な縁部シール面１５６〜１６４及び１９６〜２０４にシールされ、かくして各ウェル１３６〜１４４及び１７６〜１８４をシールする。シール用シート２３０及び２３２の２つのウェル間の各部分は、シール用シート２３０の２３４〜２４０で示す位置で弱化またはカットされ及びシール用シート２３２の２４２〜２４８で示す位置で弱化またはカットされ、かくして番号２７０で示す如き２つのカット部間のストリップを形成する。ある実施例ではシール用シートの各ストリップ２７０等は１つのウェルをカバーするが、被分与物品が錠剤であり一回分の推奨投与量が二錠である時などは１つのストリップ２７０が１つ以上のウェルをカバーするようにしても良い。ある実施例では各ストリップは別のウェルをカバーするシート用シールの隣り合う１つ以上のストリップから分離除去される。
図１５に示す本発明の他の実施例では２７２で示す如きウェルが全体に円形とされ、蓋２７４内及び底部２７６内においても２本のオフセットライン上に提供される。本実施例は錠剤または円盤状または螺旋投与形態或いはその他物品用に使用され得る。蓋及び底部の各例示ウェルはパッケージ閉鎖時は交叉しない。底部及び蓋の各ウェルをオフセットさせた場合のユーティリティの１つは、各底部ウェル開封用のプルタブ或いはその他構造を、オフセットされた各蓋ウェル間のスペースに突出させ得、及びその逆の構成を利用し得ることである。或いは蓋及び底部のオフセットされた各ウェルを相互綴じ込み形態とし、底部ウェルを２つの蓋ウェル間の一部に相対する状態で突入させ及びその逆の構成とし得る。
【００５６】
図１６はパッケージの他の実施例の詳細を示し、蓋部シェル１２４用としても使用し得る底部シェル１２２用の波状シェル壁の詳細が示される。本実施例では内面１３２及び外面１３４は何れも波状化される。
図１７及び図１８には本発明の追加実施例が示され、やはり底部シェル２８０及び蓋部シェル２８２を含んでいる。本実施例では周囲シール２８３が二枚貝に組み込まれ、底部シェル２８０のリップ２８４及び蓋シェル２８２のリップ２８６を含んでいる。各リップは、リップ同士の突き合わせシールを形成し得、または各リップの側部が係合するための合致するテーパを有する同心状表面を構成し得る。随意的には周囲シール２８３が以下に説明する“湿密”性を有し得る。更に他の実施例では周囲シールは二枚貝型パッケージの開閉に際して湿密シールを再確立させる再シール性を有し得る。例えば、少なくともパッケージは、一回につき１つのウェルにアクセスするとた場合の全ウェルへのアクセス所要開放数に達するまで湿密性を保持するように設計され得る。
【００５７】
図１９及び図２０には、ブリスターパッケージホルダまたは外側パッケージとして使用可能な本発明の他の実施例が示される。各リップ２８４及び２８６は、図１７及び図１８にも示すが図１９〜図２０では随意的特徴であるところの、周囲シール２８３を形成する、合致するテーパーを有する同心状表面であり得る。図１９及び図２０には底部シェル２９０及び蓋部シェル２９２も示され、これら各シェルはカバーシート２９８及び３００にシールしたブリスターシート２９４及び２９６を支持し且つこれらブリスターシートに装着される。パッケージから中身を分与する前にブリスターパックを外側パッケージから除去することでチャイルドセーフティ性の蓋が回避されないよう、ブリスターシート２９４及び２９６をパッケージ内で恒久的に固定するのが有益である。
図１７及び図１８又は図１９及び図２０の外側パッケージは一体ヒンジ及びチャイルドセーフティ性蓋を有する単一ピースとして成型し得る。これら実施例では可撓性フィルムは随意的にはシールを提供する必要が無く、その場合はデザイン及び材料上の融通性が高まる。例えば、簡単な、安価な紙ベースの材料を使用して各画室を閉鎖し、他方、周囲シールがシール機能を提供し得る。
【００５８】
本発明の各実施例では、シールが必要な場合は各ウェル或いはその他パッケージ要素が、製品をそれらから保護する必要のあるガスを除去する材料を随意的に含み得る。それら材料はウェルに別個に添加され得、または底部シェル及びまたは蓋部シェルの一体部分として作製できる。例えば、多材料成型プロセスを使用して底部用の第１材料と、内部に活性剤を同伴するポリマーまたはプラスチック材料形態の第２材料とを成型し得る。
プラスチック同伴活性剤の一例は３成分型配合物であり、その製造法は、ここへの引用により本明細書の一部とする米国特許第５，９１１，９３７、第６，２１４，２５５、第６，１３０，２６３、第６，１７４，９５２、第６，６１３，４０５、第６，１２４，００６の各号の１つ以上に記載される。他の例は活性剤及びポリマーの２成分混合物である。
【００５９】
ある実施例では同伴ポリマーにおける活性剤として乾燥材を使用できる。乾燥材は製品及びまたはパッケージ済み環境での水分除去のために使用し得る。乾燥材は所定の相対湿度範囲を維持するように選択し得る。１例では相対湿度を１０％未満に維持するためにモレキュラーシーブ乾燥剤が使用され得る。他の実施例ではシリカゲル乾燥剤を使用して相対湿度範囲を１０〜３０ＲＨ（相対湿度）％または３０〜５０％ＲＨまたは４０〜６０％ＲＨに維持し得る。相対湿度は、例えばポリマー中へのシリカゲル組み込み量により制御可能である。
随意的にはその他活性剤、例えば、酸素吸収材または防腐剤を使用できる。それらもまた、上述した３成分配合物のみならず２成分配合物中に組み込み得る。
ある実施例では製品の剤形が底部または蓋の各ウェルの少なくとも１つに提供される。製品は、これに限定しないが、成分の押し出しスティック、成分のロールシート、リーフの一部、粉末材及び結合剤、ロゼンジ、錠剤、プラグ、これらタイプの組み合わせ（例えばリーフのロール部分等の）或いはその他形態を含み得る。
【００６０】
パッケージ、各ウェル或いはその他容器における“湿密”について以下に定義する。
周囲シールを備える完全パッケージの場合、“湿密”とはパッケージ内への水分進入日量が約２５００マイクログラム未満、他の実施例では約２０００マイクログラム未満、他の実施例では約１５００マイクログラム未満、他の実施例では約５００マイクログラム未満、更に他の実施例では約３００マイクログラム未満、尚他の実施例では約１５０マイクログラム未満であることを意味し、以下のテスト法、即ち、（ａ）容器内にモレキュラシーブ約１グラムを配置して重量を記録し、（ｂ）容器を閉鎖及びシールし、（ｃ）シールした容器を相対湿度８０％、温度２２℃（７２°Ｆ）の条件下に環境チャンバ内に配置し、（ｃ）一日後、モレキュラシーブを含む容器重量を計測し、（ｄ）２週間後、容器重量を測定し、（ｅ）容器重量測定結果から前記１日後の測定重量サンプル値を差し引き、次いで日数で除算し、かくしてマイクログラム単位での水分進入日量を算出するテスト法により決定する。
【００６１】
パッケージの各ウェルに関しては“湿密”とは、個々のシール済みウェル内への水分進入日量が約７５０マイクログラム未満、他の実施例では約５００マイクログラム未満、他の実施例では約２５０マイクログラム未満、他の実施例では約１５０マイクログラム未満、他の実施例では約１００マイクログラム未満であることを意味し、以下のテスト法、即ち、（ａ）約０．２グラムのモレキュラシーブ（ウェルサイズに依存してそれ以上またはそれ未満）を容器内に配置して重量を記録し、（ｂ）ウェルを閉鎖及びシールし、容器を閉鎖し、（ｃ）シール済み容器を相対湿度８０％、温度２２℃（７２°Ｆ）の条件下に環境チャンバ内に配置し、（ｃ）一日後、モレキュラシーブを含む容器重量を計測し、（ｄ）２週間後、容器重量を測定し、（ｅ）容器重量測定結果から前記１日後の測定重量サンプル値を差し引き、次いで日数で除算し、かくしてマイクログラム単位での水分進入日量を算出するテスト法により決定する。マルチウェルパッケージ用のテストは個別のウェル、全てのウェル、または１つ及び全部の間の任意数のウェルについて実施され得る。
【００６２】
図２１〜図２３を参照するに、全体を番号３３０として示すチャイルドセーフティ性容器が示され、シェルまたはハウジングカバー３３２、２つの引出しまたは製品トレー３３４及び３３６、アバットメント３３８及び３４０により画定されるストッパ、本実施例では第１ラッチ３４２及び第２ラッチ３４４により画定されるラッチ、を含んでいる。
シェル３３２は随意的には対向する第１及び第２の各引出し開口３４６及び３４８を有し得る。シェル３３２は第１引出し開口３４６から第２引出し開口３４８に掛けての長手方向通路３５０を画定し得る。例示実施例ではシェル３３２は、シェル３３２の外側から長手方向通路へのアクセスを提供する、第１側部開口３５２及び、本実施例では第２側部開口３５４を画定し得る。
第１引出し３３４は長手方向通路３５０内に摺動自在に受けられ、第１引出し３３４の開放時に第１引出し開口３４６を貫いて突出し、また、他の実施例では引出し閉鎖時にも僅かに突出する。例示実施例では第１引出し３３４は、第１開口３５０に面する第１引出しアバットメント３４０を随意的に有し得る。第１引出し３３４はガスケット３５６と、容器３３０内に物品を格納しておく保存エリア３５８とを有する。
【００６３】
第２引出し３３６は長手方向通路３５０内に摺動自在に受けられ、第１引出し３３４に関して相対的に可動であり、第２引出し開放時に第２引出し開口３４８を貫いて突出し、他の実施例では引出し閉鎖時にも若干突出する。例示実施例では引出し３３４及び３３６は同一形状及び機能を有する。
アバットメント３３８及び３４０により画定されるストッパが通路３５０内に位置付けられる。ストッパは、第１及び第２の各引出し３３４及び３３６と係合し、これら第１及び第２の各引出しがシェルに関する移動限界を超えて摺動離間するのを防止する。前記移動限界へは、第１及び第２の各引出しの何れか一方が、その中身へのアクセスを提供するに十分開放され、他方がその中身へのアクセスを防止するに十分閉じた場合に到達する。
【００６４】
例示実施例ではストッパは、第１引出し３３４における、第１開口３４６に面するアバットメント３３６と、第２引出し３３６における、第２開口３４８に面するアバットメント３４０とを含み、引出し３３４及び３３６を離間方向に移動すると第１及び第２の各アバットメント３３８及び３４０が係合してストッパを画定する。例示実施例では、本実施例では各アバットメントであるところのアバットメント３３８及び３４０の少なくとも一方が、一方の引出し３３４の、他方の引出し３３６方向に伸延する（及び、逆に他方の引出し３３６から伸延する構成におけるリンク３６２）リンク３６０により、相当する引出し３３４または３３６に連結される。例示実施例ではストッパは、第１引出し３３４に関する第１部分３６０と、第２引出し３３６に関する第２部分３６２とを随意的に有し得る。あるいはストッパは例示する如く相互に係合する第１及び第２の各部分であり、あるいは他の実施例ではシェルの一部に係合する第１及び第２の各部分またはラッチの一部に係合する第１及び第２の各部分であり得る。
【００６５】
本実施例では第１ラッチ３４２及び第２ラッチ３４４であるラッチはシェル３３２に押し当てて変形した第１及び第２の押しボタンガスケット３６４及び３６６の弾性により常バイアス印加され、かくして第１及び第２の各引出し３３４及び３３６をラッチ止め及びシールし、図２１〜図２４に示す如く閉鎖する。番号３４２等のラッチはその常バイアス印加に抗して引出し３３４及び３３６の少なくとも一方をアンラッチさせるよう動作自在である。例示実施例ではラッチは、第１引出し３３４と係合する第１ラッチ３４２と、第２引出し３３６と係合する第２ラッチ４４とを含む。あるいは、ワンパートラッチを用いて引出し３３４及び３３６の両方に同時にまたは交互に係合させ得る。第１ラッチ３４２は随意的には、第１引出し開口３４６に面する第１ラッチアバットメント３６８を有し得、第１ラッチ３４２は以下に説明する、本実施例では傾斜部３７０であり、また本実施例では詳しくはラッチ３４２上の一対の傾斜部３７０及び３７２であるところのアンラッチ機構の一部を含む。
【００６６】
本実施例では第１及び第２の各ラッチ３４２及び３４４は少なくとも部分的には長手方向通路３５０内に配置され、第１及び第２の各引出し３３４及び３３６をアンラッチさせるために第１及び第２の各側方開口３５２及び３５４を介して夫々アクセス可能である。第２ラッチ３４４は随意的には、第１引出し開口３４６に面する第２ラッチアバットメント３７４を有し得る。
例示実施例ではラッチ３４４は、本実施例では押しボタン３７６及び３７８であるところの押しボタンを用いて動作させる。
例示実施例では第１及び第２の各ラッチ３４２及び３４４は同一形状を有する。
各引出し３３４及び３３６、及び相当するラッチ３４２及び３４４がアンラッチ機構３８０及び３８２を画定する。例示実施例ではアンラッチ機構３８０及び３８２はラッチ３４２または３４４上の傾斜部３７０または３７２と、引出し３３４から突出するリンク３８８にして、引出しアバットメント３９０に係合し且つ当該アバットメントをラッチアバットメント３６８から遠方に（図２４の平面の背後方向に）逸らせるリンク上に傾斜部（本実施例では傾斜部３８４及び３８６）とを含む。
【００６７】
例示実施例では第１引出しアバットメント３９０及び第１ラッチアバットメント３６８は、第１引出し３３４が閉鎖され且つラッチ３４２が常バイアス印加されて第１引出し３３４を閉鎖状態にラッチ止めする時は相互に係合するよう位置決めされる。同様に本実施例では、第２引出しアバットメント３９２及び第２ラッチアバットメント３７４は、第２引出し３３６が閉鎖され且つラッチ３４４が常バイアス印加されて第２引出し３３６を閉鎖状態にラッチ止めする時は相互に係合するように位置決めされる。
例示実施例では第１及び第２の各ラッチ３４２及び３４４は、長手方向通路３５０内で相互方向に横断移動してアンラッチされ、両ラッチ３４２及び３４４が作動されると、相当するラッチアバットメント３６８または３７４から第１及び第２の各引出しアバットメント３９０及び３９２を脱係合させる。
【００６８】
例示実施例では第１引出し３３４及びラッチ３４２は、第１引出し３３４を更に閉じるように押してアンラッチ機構３８０に係合させると共にラッチ３４２を作動させて第１引出し３３４をアンラッチさせた場合にのみ、第１引出し３３４をアンラッチするように構成される。例示実施例では第２引出し３４２及びラッチ３４４も同様に、第２引出し３３６を更に閉じるように押して第２アンラッチ機構３８２に係合させると共にラッチ３４４から第２引出しをアンラッチさせた場合にのみ、第２引出し３３６をアンラッチさせる構成とされる。
本実施例の、番号３８０で示す如きアンラッチ機構は以下の如く動作する。
例示実施例ではラッチ３４４上の傾斜部３７０及び３７２と、引出し３３４上の相当する傾斜部３８４及び３８６とは、引出し３３４を閉じたときは図２４（各傾斜部はその全体が下部構造をなす）に示すように長手方向に常移動され、引出し３３４を押して更に閉じて傾斜部３８４及び３８６が図２４で右側に移動すると係合関係下に長手方向に整列する。
【００６９】
例示実施例では各第１ストッパ３９４（引出し３３４の）及び第２ストッパ３９６（引出し３３６の）はリンク３６０及び３９８の移動を制限し、かくして各引出し３３４及び３３６が第１引出し３３４のアンラッチ機構３８０及び第２引出し３３６のアンラッチ機構３８２を係合させるに十分閉じる方向に押されるのを防止し、かくして第１及び第２の各引出しの一方のみが一度に開放させる。
例示実施例のシェル３３２は、アンラッチ機構３８０が係合され、リンク３８８が移動されたとき、引出し３３４のリンク３８８を受けるガイド４００及び４０２と、アンラッチ機構３８２が係合され、引出し３３６のリンクが移動されたとき、引出し３３６のリンクを受ける類似のガイド４０４及び４０６とを有し、何れの場合でも各ガイドは開放時の引出しをガイドする。シェル３３２は、引出しリンク３６０をガイドするガイド４０８と、他方の引出しリンク３９８をガイドするガイド４１０とをも有する。
【００７０】
番号３３４で示す如き引出しは、番号４１２で示す如き部分カバーを更に含み得る。ある実施例では部分カバー４１２は引出し３３２の一体部分として一体ヒンジ４１４と共に、図２４に仮想線４１２’で示す方向において成型され得る。次いで部分カバー４１２’は折り返され、キャッチまたは類似構成により引出し３３４の胴部に随意的に固定され得る。また、若しくはそれに代えて、部分カバー４１２が図２４に実線で示す閉鎖位置を取る状態での容器３３０の組み立て中に引出し３３４をシェル３３２に挿入すると、部分カバー４１２がその閉鎖位置に捕捉され得る。番号４１２で示す如き部分カバーは積層体４１６へのアクセスを制限し、かくしてユーザーにシート４１６の積層体の最上部から一度に１枚のシート４１６を除去することを促す。
以下に例示実施例を更に説明する。
【００７１】
例示実施例は、例えば、バルク配列下の固形経口投薬の、ユーザーへの提示投薬数を制限する上で有益なパッケージ３３０を含む。パッケージ３３０は随意的には携帯可能であり、軽量且つ使用が容易である。例示したパッケージ３３０は、乳幼児には押しにくい押しボタン３７６、３７８を有し且つ引出しを同時にパッケージ内に押し込む点で有効なチャイルドセーフティ性の蓋を有する。また、一度の一方のみを作動させ得る２引出し構成が、内容物への所定時間におけるユーザーアクセス量を制限する。パッケージ３３０は随意的には製品に対するユーザーの愛着を高め得る。操作が楽しく且つ魅力的な触覚要素を持つパッケージはここではそうした愛着を生み出すものと見なされる。
【００７２】
例示実施例は、固形経口投薬をユーザーに分配するバルクパッケージを含む。固形経口投薬には、これに限定しないが、可食フィルム、錠剤、ロゼンジ、カプセルが含まれ得る。１実施例では製品は可食フィルムである。１実施例では可食フィルムは矩形形状を有し、そのサイズは例えば、２５ｍｍ×３５ｍｍであり得る。例示実施例のバルクパッケージは実質的には、例えば、縁部及び角部を丸み付けした平行パイプによる矩形形状を有し、パッケージをポケットまたはハンドバッグに容易に担持し得るよう比較的薄い。可食フィルムはバルクパッケージ内に位置付けたトレーに積層される。バルクパッケージには２つのトレーが組み込まれ、パッケージの各端部に各１つが位置付けられる。
各トレーはパッケージの各端部から摺動して外に出る。ある実施例では各トレーは２５枚まで、より好ましくは約１０枚までの可食フィルムを保持する。図２１に示すバルクパッケージは随意的には、各トレーに１０枚、計２０枚の可食フィルムピースを有し得る。
【００７３】
パッケージは、パッケージの中央に位置付けた２つのボタン３７６及び３７８を用いて各トレーを外にスライドさせることで開放される。各ボタンはチャイルドセーフティ性機構を制御するラッチ３４２、３４４に装着される。パッケージは、各ボタンを押し込んで保持しつつ同時に、一方のトレー（または引出し）を約１〜２ｍｍ内側に押し込むことで開放される。内側に押し込まれたトレーを釈放するとトレーはバルクパッケージのハウジングから外側に移動する。トレーを釈放した後、ユーザーはトレーを手でスライドさせて更に開放させることで製品にアクセス可能となる。
パッケージは、一度に一方のトレーのみにアクセスし得るように設計される。一方のトレーがユーザーに対して開放されると他方のトレーはパッケージ内で錠止される。
【００７４】
トレー開放後、ユーザーは２つの押しボタン３７６及び３７８を釈放し得る。釈放された押しボタンは柔軟なガスケットのスプリングバックによりラッチを外側に移動させ、そのホームポジションに復帰させる。ユーザーは、開放したトレーをスライドさせてハウジングカバーに戻すことでパッケージを閉鎖し得る。例示実施例ではトレーはパッケージ内に完全に座着するとハウジングカバーと面一化され得る。トレーを面一状態から約１〜２ｍｍ押し出すことが可能である。トレーはその閉鎖位置でパッケージ内に再度錠止され、上述したシーケンスを反復するまでは再開放させ得ない。
例示実施例ではバルクパッケージは５つのパーツ、即ち、ハウジングカバー、ラッチを備える２つの同一の側方ボタン、同一の２つの製品トレーとから構成される。
【００７５】
バルクパッケージは製品を水分露呈に関して保護するべく設計される。バルクパッケージは、例示した如く、製品トレーとハウジングカバーとの間に形成したシールを随意的に有し得、また、押しボタンとハウジングカバーとの間に形成したシールをも随意的に有し得る。バルクパッケージは、その使用寿命中（トレーを開閉した後）前記シールを再確立する。再シール自在シールはトレー当たり５０回までの開閉に対して設計される。ある実施例では各シールは以下のテスト法、即ち、（ａ）容器内にモレキュラシーブ約１グラムを配置して重量を記録し、（ｂ）容器を閉鎖及びシールし、（ｃ）シールした容器を相対湿度８０％、温度２２℃（７２°Ｆ）の条件下に環境チャンバ内に配置し、（ｃ）一日後、モレキュラシーブを含む容器重量を計測し、（ｄ）２週間後、容器重量を測定し、（ｅ）容器重量測定結果から前記１日後の測定重量サンプル値を差し引き、次いで日数で除算し、かくしてマイクログラム単位での水分進入日量を算出するテスト法により決定した、２２℃／８０％ＲＨ（相対湿度）の条件下における２０００マイクログラム未満、好ましくは１５００マイクログラム未満である水分進入日量を有する。
【００７６】
トレーアセンブリは３つのパーツ、即ち、（１）製品トレー、（２）一方の端部位置における柔軟ガスケット（ボタンとしても使用される）、（３）製品へのアクセスを部分的に制約する製品蓋、から構成される。
製品トレーは積層した可食フィルムを保持するリザーバとして作用する。製品トレーは随意的には、積層状態の可食フィルムからの１ピース除去を容易化する傾斜部を有し得る。前記傾斜部は積層状態の可食フィルム最上部からのフィルムピース分離を助成する。代表的にはユーザは積層可食フィルムの最上部に置いた指で最上部のピースを傾斜部に向けてスライドさせる。製品トレーは単一材料から構成され得（即ち、ポリプロピレンまたはポリエチレン）または製品内の水分レベルをコントロールする活性ポリマー（即ち、乾燥材プラスチック）を組み込み得る。ある実施例では製品トレーは２ショット射出成型プロセスで製造され、外側部分が熱可塑性樹脂（即ち、ポリプロピレンまたはポリエチレン）で成型され、内側部分（傾斜部）が乾燥材プラスチックで成型される。乾燥材プラスチック材料は例えば、ここに引用することにより本明細書の一部とする米国特許第５，９１１，９３７、第６，０８０，３５０、第６，１３０，２６３、第６，１７４，９５２、第６，２１４，２５５、第６，４８６，２６１、第７，００５，４５９の各号に記載される。
【００７７】
柔軟ガスケット材料は製品トレーの一方の端部上に位置決めされる。柔軟ガスケット材料とは反対側の側部上には２つの突起が位置付けられる。図２４を参照するに、短い方の突起が随意的にはその中央内部に長孔を有し得る。長い方の突起は随意的にはその一方側に沿って銛状の特徴部を有し得る。短い方の突起はラッチ機構と相互作用する。長い方の突起は対向するトレー内に伸延して両トレーの同時開放を防止する。
製品トレーは随意的には、トレー上部を覆って部分的に伸延する蓋を有し得る。蓋は別個の部品として、または製品トレーと一体化して作製し得る。一体部品とした場合、蓋は製品トレーにヒンジ止めし得る。１実施例では製品トレー及び蓋は一回の射出成型プロセスで成型される。蓋は製品充填以前はトレー上部を覆って組み立てない。蓋はその“開放”位置においてヒンジ止めされ得る。製品トレーへの製品充填後、蓋を回転して閉じ、然るべく錠止し得る。閉じた蓋は除去され得ない。
【００７８】
ガスケットは２つの機能、即ち、（１）ハウジングカバーと製品トレーとの間のシールを提供し、（２）ユーザーが製品トレーを内側に押し込む際にバネ復元力を提供する。パッケージを操作する間、ユーザーはガスケット材料上でトレーに内向き力を加える。
ガスケットは別個の部品または製品トレーに一体化して製造され得る。ある実施例ではガスケットは２ショット射出成型プロセスにより製品トレー内に成型される。ガスケットは熱可塑性エラストマー（ＴＰＥ）から構成され得る。好適なＴＰＥは、水蒸気透過速度が良好な材料及び製品トレー用の熱可塑性樹脂に容易に接着（親和性の）する材料である。
【００７９】
押しボタンラッチ及び製品トレーはハウジングカバー内に組み込まれる。各押しボタンラッチはその遠位端にフック機能特徴部を有する。押しボタンをハウジングカバー内に組み込むとこれらフックが相互錠止され、かくしてパッケージからの押しボタンラッチ離脱が防止される。各押しボタンはパッケージにおけるチャイルドセーフティ性機構の一体部品である。各ラッチはその閉鎖位置において、押しボタンを押さない場合は製品トレーの開放を防止する。製品トレー内は、その遠位端に沿って突起を有する長孔付きの短いタブを随意的に有し得、このタブをラッチを覆って組み立て得る。前記突起とラッチとが相互干渉することで製品トレーの開放が防止される。
【００８０】
ハウジングカバーは単一材料から構成され得る。好ましい実施例ではハウジングカバーは射出成形法により単一パーツとして製造され得る。ハウジングカバー用の材料は随意的には、パッケージ内の製品を水分や紫外線から保護する上で良好なバリヤを提供し得る。ハウジングカバー内には、他形態のバルクパッケージに関わるパッケージ操作を支援する機能特徴部が存在するため、前記材料は随意的には寸法安定性をも有し得る。好適な材料には、ポリプロピレン（ＰＰ）、高密度ポリエチレン（ＨＤＰＥ）、環状オレフィンコポリマー（ＣＯＣ）等が含まれる。
ハウジングカバーの内側及び底面は、該底面から外側に突出する２つのチャネルを随意的に有し得る。これらチャネルは前記突起を有する長孔付きの短いタブを捕捉するために使用される。
【００８１】
製品トレーの長孔付きの前記タブは上面に沿った中間に滑り止めセットを随意的に有し得る。押しボタンラッチを押し込むとこれら滑り止めが押しボタンラッチに沿って乗り上がる。同時に、製品トレーの一方が押し込まれる。押しボタンラッチの底面は、前記タブが下方に約２〜３ｍｍ移動されるよう、相当する滑り止めを随意的に有し得る。押しボタンタブを完全に押し下げると前記タブが下方に移動され、かくしてタブはハウジングカバー内のチャネルの１つと整列する。製品トレーは、釈放されるとパッケージの外側に摺動し、その間、前記タブがハウジングカバー内のチャネルの１つに捕捉される。
次いで製品トレーを、該製品トレーの長いタブがその移動端に到達するまで引出し得る。前記移動端は、一方の製品トレーの銛状特徴部が、対応する製品トレーの銛状特徴部と接触し得る位置である。製品トレーの最大開放距離は銛状特徴部により画定される。
【００８２】
押しボタンラッチは２つの部品、即ち、（１）ハウジングカバーとシールを形成する押しボタンと、（２）製品トレーを釈放する可動のラッチとから構成され得る。押しボタンラッチは２つのパーツから作製し且つ組み立て得る。好ましい実施例では押しボタンラッチは２ショット射出成形法で作製される。押しボタンは、製品トレー上のガスケットと類似の材料条件を伴う熱可塑性エラストマー製である。
押しボタンラッチは相互に内方に押される。本実施例では各押しボタンラッチは約４ｍｍ内方に移動する。各ラッチの底面上の滑り止めセットが製品トレー上の突起を有する長孔付きの短いタブ上の相当する滑り止めセットと係合して前記タブを下方に移動させる。これにより前記タブはハウジングかバー内のチャネルの１つに嵌入し、かくして一方の製品トレーを外側に開放可能とする。
ここで“含む”とはその他要素またはステップを除外するものでは無く、“１つの”とは複数を除外しないものとする。
以上、本発明を実施例を参照して説明したが、本発明の内で種々の変更をなし得ることを理解されたい。
【符号の説明】
【００８３】
１２  蓋部シェル
４０  パッケージ
４２  第１シェル部分
４４  第２シェル部分
４６  第１周囲部分
４８  第２周囲部分
５０  第１周囲部分
５２  第２周囲部分
５４  第１ラッチアバットメント
５６  ヒンジ
５８  ラッチ
６０  第１脚部
６２  第２脚部
６４  アクチュエータ部分
６６  第２ラッチアバットメント
６８、７０  周囲縁部
７２  第１閉鎖リップ
７４  エンクロージャ
７６  第２閉鎖リップ
７８  インサート
８０  第１傾斜部
８２  第１アバットメント
８４  第１ピボット
８６  第３ラッチアバットメント
８８  第２ラッチ
９０  第３脚部
９２  第４脚部
９４  アクチュエータ部分
９６  第２傾斜部
９８  第４ラッチアバットメント
１００  第２アバットメント
１０２  第２ピボット
１０４  残余部分
１０６  リーフバネ
１０８  リーフバネ
１１０  凹所
１１２  側壁
１１４  周囲フランジ
１１６、１１８  孔
１２０  単一射出成型部品
１２２  底部シェル
１２４  蓋部シェル
１２６  一体ヒンジ
１２８  第１蓋部
１２９  第１孔
１３０  第２蓋部
１３２  内面
１３４  外面
１３６、１３８、１４０、１４２、１４４  底部ウェル
１４６  直立壁
１５６  縁部シール面
１６８  波状部分
１７２  内面
１７４  外面
１７６  蓋ウェル
１８６  直立壁
１９６  縁部シール面
２１０  蓋部アバットメント
２１２  底部アバットメント
２１４  弾性タブ
２１６  近位部分
２１８  遠位部分
２２０  蓋部アバットメント
２２２  弾性タブ
２２４  近位部分
２２６  遠位部分
２２８  親指タブ
２３０  シール用シート
２３２  シール用シート
２４０  カット部分
２６８  製品ピース
２７０  ストリップ
２８０  底部シェル
２８２  蓋部シェル
２８３  周囲シール
２８４  リップ
２８６  リップ
２９０  底部シェル
２９２  蓋部シェル
２９４  ブリスターシート
２９８  カバーシート
３３０  容器
３３２  ハウジングカバー
３３４  製品トレー
３３６  アバットメント
３３８  アバットメント
３４０  アバットメント
３４２  第１ラッチ
３４４  第２ラッチ
３４６  第１開口
３４８  第２開口
３５２  第１側部開口
３５４  第２側部開口
３５６  ガスケット
３５８  保存エリア
３６０  第１部分
３６２  第２部分
３６４  ボタンガスケット
３６８  第１ラッチアバットメント
３７０  傾斜部
３７４  第２ラッチアバットメント
３７６  ボタン
３７８  ボタン
３８０  アンラッチ機構
３８２  第２アンラッチ機構
３８４  傾斜部
３８８  リンク
３９０  アバットメント
３９２  アバットメント
３９４  第１ストッパ
３９６  第２ストッパ
３９８  第２リンク
４００  ガイド
４０４  ガイド
４０８  ガイド
４１０  ガイド
４１２  部分カバー
４１４  一体ヒンジ
４１６  積層体
【図１】
0005956338.tif 000002
【図２】
0005956338.tif 000003
【図２Ａ】
0005956338.tif 000004
【図３】
0005956338.tif 000005
【図３Ａ】
0005956338.tif 000006
【図４】
0005956338.tif 000007
【図５】
0005956338.tif 000008
【図６】
0005956338.tif 000009
【図７】
0005956338.tif 000010
【図８】
0005956338.tif 000011
【図９】
0005956338.tif 000012
【図１０】
0005956338.tif 000013
【図１１】
0005956338.tif 000014
【図１２】
0005956338.tif 000015
【図１３】
0005956338.tif 000016
【図１４】
0005956338.tif 000017
【図１５】
0005956338.tif 000018
【図１６】
0005956338.tif 000019
【図１７】
0005956338.tif 000020
【図１８】
0005956338.tif 000021
【図１９】
0005956338.tif 000022
【図２０】
0005956338.tif 000023
【図２１】
0005956338.tif 000024
【図２２】
0005956338.tif 000025
【図２３】
0005956338.tif 000026
【図２４】
0005956338.tif 000027
【図２５】
0005956338.tif 000028
【図２６】
0005956338.tif 000029
【図２７】
0005956338.tif 000030
【図２８】
0005956338.tif 000031
【図２９】
0005956338.tif 000032
【図３０】
0005956338.tif 000033
【図３１】
0005956338.tif 000034